(57)【要約】  反射器とモジュールがマウントされる筐体とを有する自動車ランプアセンブリのための自己配置光源モジュールである。光源モジュールは、ソケットと、ソケットのアパーチャに捕捉可能に保持される光源ホルダーとを含む。光源ホルダーは、ソケットの中心軸を含む複数の軸に沿ってソケットに対して制限される移動を行い得る。光源ホルダーおよび反射器における中心通路は、相補的なテーパ面を有しており、ホルダーは、テーパ面とホルダーの許可された相対的運動とによって、反射器内の所望の位置に光源が自己配置することが可能になるように通路との係合へと付勢される。
2016512385.tif 000002
【特許請求の範囲】
【請求項１】
自動車ランプアセンブリのための光源モジュールであって、
ソケットの中心軸の周りに配置されるアパーチャを有するソケットと、
前記ソケットに捕捉されるように保持されるとともに前記ソケットから前記アパーチャを通って延在する光源ホルダーとを含み、前記光源ホルダーは、前記ソケットに対する、前記ソケットの前記中心軸を含む複数の軸に沿った制限された移動を行うことが可能であり、
前記光源ホルダーは、付勢に対して前記光源ホルダーに加えられる正の力によって前記ソケットの中に少なくとも部分的に前記光源ホルダーが入るように、前記中心軸に沿うとともに前記ソケットから離れる方向に付勢される、光源モジュール。
【請求項２】
前記光源ホルダーは、反射器の相補的な機構と係合するように構成されるテーパ外面を有する、請求項１に記載の光源モジュール。
【請求項３】
前記ソケットから離れるように前記光源ホルダーを促すように構成される付勢部材をさらに含む、請求項１に記載の光源モジュール。
【請求項４】
前記付勢は、反射器の後端部との係合へと前記光源ホルダーを促すように構成される、請求項１に記載の光源モジュール。
【請求項５】
前記光源ホルダーは、光源を受け入れるための中心通路を有する、請求項１に記載の光源モジュール。
【請求項６】
筐体の開口部の中への前記ソケットの封止された設置のための封止部をさらに含む、請求項１に記載の光源モジュール。
【請求項７】
前記ソケットおよび前記光源ホルダーは反射器内において光源を位置決めするように構成される、請求項１に記載の光源モジュール。
【請求項８】
前記ソケットから前記光源ホルダーに延在する端子をさらに含み、前記端子は、前記ソケットおよび光源ホルダーの相対的位置とは独立して、前記ソケットから前記光源ホルダーに電力を供給するように構成される、請求項１に記載の光源モジュール。
【請求項９】
前記光源ホルダーは、前記光源ホルダーが前記中心軸に対して移動することを可能にしつつ、前記ソケットの前記アパーチャ内に前記光源ホルダーを保持するように構成される肩部を含む、請求項１に記載の光源モジュール。
【請求項１０】
自動車ランプアセンブリのための光源モジュールであって、
ソケットに結合される近位端と、反射器の内面に相補的な外面を有する遠位端とを有する光源ホルダーを含み、
前記光源ホルダーおよび前記反射器の前記相補的な表面は、前記反射器内での所望の位置に光源を位置決めするよう、互いとの係合のために構成される、光源モジュール。
【請求項１１】
前記光源ホルダーは、前記ソケットから離れるとともに前記反射器に向かう方向に付勢される、請求項１０に記載の光源モジュール。
【請求項１２】
前記光源ホルダーおよび前記反射器の前記相補的な表面は、付勢部材によって互いとの係合へ促される、請求項１１に記載の光源モジュール。
【請求項１３】
筐体と反射器とを有する自動車ランプアセンブリでの使用のための自己配置光源モジュールであって、前記筐体および前記反射器は、前記光源モジュールを前記筐体に装着するとともに前記反射器の通路と係合することにより前記反射器内に光源を位置決めするように、車両に装着される際に互いに対して適切な位置に実質的に固定されており、前記光源モジュールは、
外部から供給された電力を前記光源モジュールを介して光源に導通するための端子を有するソケットと、
前記光源を受け入れる光源ホルダーとを含み、前記光源ホルダーは、捕捉されるように前記ソケットに保持されるとともに前記ソケットに対する複数の軸に沿った制限された移動を行うことが可能であり、
前記光源ホルダーは外面部分を有しており、前記光源モジュールが前記筐体に装着され、次いで設置の間に前記反射器へと組み付けられると、前記外面部分は、前記通路にて前記反射器と係合して前記反射器内の所望の位置に前記光源を位置決めし、前記光源ホルダーは、前記所望の位置での前記光源の位置決めの間に、前記ソケットに対する前記軸の１つ以上に沿った移動を行うことが可能である、光源モジュール。
【発明の詳細な説明】
【技術分野】
【０００１】
技術分野
この発明は一般に、自動車ランプアセンブリに関し、特定的には、車両に装着されると互いに対して適切な位置に実質的に固定される反射器および光源支持筐体とを含むランプアセンブリに関する。
【背景技術】
【０００２】
背景
自動車両のための外部ランプアセンブリは一般に、光源と、光源からの光の少なくとも部分を所望の方向にリダイレクトするための反射器とを含む。大部分の反射器タイプのランプアセンブリでは、光源からの後方への放出光が反射器の光軸と平行な方向に反射されるように反射器の焦点にてまたは当該焦点の近くに光源を位置決めすることが望ましい。一般に、これらのランプアセンブリは、光源が装着されるランプソケットを有する筐体または他の支持部材を含んでおり、筐体ならびにそのソケットおよび光源は、反射器の焦点に光源を位置決めするために、光源が反射器の後部において通路または貫通路を通るよう延在するように設置される。しかしながら、製造公差によって、ならびに／または、反射器および筐体が互いに対して実質的に固定された位置に少なくとも幾分独立して装着される場合、反射器内に光源を正確に配置するのは難しくあり得る。なぜならば、筐体によって支持されるソケットが、反射器における貫通路と正確に整列されない場合があるからである。
【発明の概要】
【課題を解決するための手段】
【０００３】
概要
一実施形態に従うと、自動車ランプアセンブリのための光源モジュールが提供され、上記光源モジュールは、ソケットの中心軸の周りに配置されるアパーチャを有するソケットと、ソケットに捕捉されるように保持されるとともにソケットからアパーチャを通って延在する光源ホルダーとを含む。光源ホルダーは、ソケットに対する、ソケットの中心軸を含む複数の軸に沿った制限された移動を行うことが可能である。光源ホルダーは、付勢に対して光源ホルダーに加えられる正の力によってソケットの中に少なくとも部分的に光源ホルダーが入るように、中心軸に沿うとともにソケットから離れる方向に付勢される。
【０００４】
別の実施形態に従うと、自動車ランプアセンブリのための光源モジュールが提供され、上記光源モジュールは、ソケットに結合される近位端と、反射器の内面に相補的な外面を有する遠位端とを有する光源ホルダーを含む。光源ホルダーおよび反射器の相補的な表面は、反射器内での所望の位置に光源を位置決めするよう、互いとの係合のために構成される。
【０００５】
さらに別の実施形態に従うと、筐体と反射器とを有する自動車ランプアセンブリでの使用のための自己配置光源モジュールが提供され、筐体および反射器は、光源モジュールを筐体に装着するとともに反射器の通路と係合することにより反射器内に光源を位置決めするように、車両に装着される際に互いに対して適切な位置に実質的に固定される。光源モジュールは、外部から供給された電力を光源モジュールを介して光源に導通するための端子を有するソケットと、光源を受け入れる光源ホルダーとを含む。光源ホルダーは、捕捉されるようにソケットに保持されるとともにソケットに対する複数の軸に沿った制限された移動を行うことが可能である。光源ホルダーは外面部分を有しており、光源モジュールが筐体に装着され、次いで設置の間に反射器へと組み付けられると、外面部分は、通路にて反射器と係合して反射器内の所望の位置に光源を位置決めし、光源ホルダーは、所望の位置での光源の位置決めの間に、ソケットに対する軸の１つ以上に沿った移動を行うことが可能である。
図面の簡単な説明
好ましい例示的な実施形態が添付の図面に関連して以下に記載され、当該図面においては、同様の指示が同様の要素を示す。
【図面の簡単な説明】
【０００６】
【図１】ソケットと、反射器内の所望の位置に光源を位置決めすることができる光源ホルダーとを含む自動車ランプアセンブリの一実施形態の概略的な断面図である。
【図２】自動車ランプアセンブリの別の実施形態の概略的な断面図である。
【図３】図１のソケットの拡大図である。
【図４】図１の光源ホルダーの拡大図である。
【発明を実施するための形態】
【０００７】
例示的な実施形態の詳細な説明
本願明細書において記載される自動車ランプアセンブリは、反射器と光源が装着される筐体とが互いに対して実質的に固定された位置に別々に装着される場合であっても、反射器内の所望の位置に光源を位置決めすることができる。特に、自動車ランプアセンブリは、光源が筐体に結合されることを可能にすると同時に筐体に対する移動を可能にする自己配置光源モジュールを含む。さらに、光源モジュールおよび反射器は、反射器内の所望の位置に光源を位置決めするのを支援するためにアセンブリの間に共同するよう促される相補的な表面を含む。
【０００８】
図１は、一実施形態に従った自動車ランプアセンブリ１０を示す。アセンブリ１０は、筐体１２と、光源１６を受け入れるための反射器１４と、筐体１２に装着される、反射器１４内に光源１６を位置決めするための光源モジュール１８とを含む。電力は、１つ以上の端子２２を含む基部２０を介して光源１６に供給され得る。ランプアセンブリ１０は、光源１６からの光が車両からの照明を提供し得るように車両への取り付けのために適合される。このような照明は、前方照明（ヘッドライトなど）、信号照明（方向指示灯、ブレーキライト）、またはマーカー照明などであってもよい。
【０００９】
反射器１４は光軸Ｘを含んでおり、本願明細書において使用されるように、半径方向および軸方向という用語は、反射器１４の光軸Ｘに対する方向を指す。特に、半径方向は、光軸Ｘに対して法線方向の（すなわちＹおよびＺ軸によって規定される平面における）方向を指しており、軸方向は、光軸Ｘと平行な方向を指す。さらに、反射器１４は、対向する前端部２４および後端部２６と、その後端部２４に配置される、光源１６を受け入れるための貫通路２８とを有する。反射器１４はさらに、光軸Ｘについて実質的に回転方向に対称であり得る反射および凹状内部３０を含む。反射器１４の内部３０は、焦点Ｆを有する楕円形状、放物線状、または他の曲線状のプロファイルを有し得る。図１に示される図は単なる１つの図であり、上面図のような他の図が、異なる焦点を有するまたは特定の焦点を有さない反射器１４の内部３０について異なるプロファイルを示し得るということが理解されるべきである。図１に明示的に示されていないが、反射器１４は、反射器１４の内部を環境から保護するよう前端部２４にて典型的に閉じられる。筐体１２、レンズまたは透明壁がこの機能を果たし得る。
【００１０】
光源１６は、反射器１４の内部に光を提供し、光源モジュール１８によって反射器１４内の所望の位置に位置決めされる。たとえば、光源モジュール１８は、光源１６が反射器１４の光軸Ｘに沿っておよび／または反射器１４の焦点Ｆにもしくは当該焦点Ｆの近傍に配置されるように反射器１４内に光源１６を位置決めするよう構成され得る。しかしながら、光源モジュール１８は、反射器１４内のさまざまな異なる位置に光源を位置決めするよう好適に使用され得るということが理解されるべきである。さらに、光源１６は、車両の前方のエリアを照らすことができる任意の光源であり得、たとえば、ハロゲンもしくは他のフィラメントベースのランプ、キセノンアークランプ、蛍光源、ＬＥＤ、またはファイバーオプティクスを含む。図１に示される実施形態において、光源１６はライトパイプであり、反射器１４の外部に配置されるＬＥＤ３２から放射される光を受け入れる。ＬＥＤ３２は、プリント回路板（ＰＣＢ）３３および基部２０の端子２２と電気的に連通して装着される。端子２２は、光源ホルダーおよびソケットの相対位置にかかわらず、ばね付勢または別の態様でＰＣＢ３３との接触を維持するように構成される。たとえば、ＰＣＢ３３は、ソケットに対する光源ホルダーの横方向（半径方向）の位置決めにかかわらず、丸いヘッド端子の頂点がパッドとの電気的接触を維持することになる十分に大きなエリアを有する表面接触パッドを有し得る。
【００１１】
図２は、自動車ランプアセンブリ１００の別の実施形態を示しており、光源１１６はフィラメントベースの電球である。この実施形態において、光源１１６は、部分的に光源ホルダー１３６の中心通路１５６の中へ延在する電気的コネクタ１３３によって基部１２０の端子１２２に電気的に接続される。この実施形態における光源１１６は、光源ホルダー１３６から容易に除去され得、自動車ランプアセンブリ１００の残りの構成要素とは別個に置換され得る。
【００１２】
光源モジュール１８は、反射器１４内の所望の位置に光源１６を位置決めするよう互いに相互作用するソケット３４および光源ホルダー３６を含む。特に、ソケット３４は光源ホルダー３６についての基準点として作用し、光源ホルダー３６は光源１６に移動の自由を提供する。したがって、光源モジュール１８は、筐体１２に対する反射器１４の位置にかかわらず、光源１６が筐体１２に対して移動し得、したがって反射器１４内の所定の位置に位置決めされ得るように光源１６を筐体１２に間接的に接続する。本願明細書において開示される光源モジュール１８は、図に示されるアセンブリを含みかつ当該アセンブリに加えてさまざまな自動車ランプアセンブリにおいて使用され得る。たとえば、光源モジュール１８は、テールランプ、ヘッドライトおよび方向指示灯において好適に使用され得る。
【００１３】
ソケット３４は、間接的に筐体１２に光源ホルダー３６を接続する。ここで図３を参照して、ソケット３４は、表面４０および裏面４２を有する上方部分３８と、下部部分４４と、内部キャビティ４６とを含む。ソケット３４の上方部分３８は、ソケット３６の中心軸に対して法線方向に配置されるアパーチャ４８を含む。図１に示される実施形態において、ソケット３６の中心軸は反射器１４の光軸Ｘと整列する。しかしながら実際は、ソケット３６の中心軸は、反射器１４の光軸Ｘに沿って位置してもよいかまたは位置しなくてもよい。ソケット３４のアパーチャ４８は、光源ホルダー３６の部分を受け入れるよう構成されるとともに、光源ホルダー３６の残りの部分がアパーチャ４８を通ってソケット３４から延在するようにソケット３４の内部キャビティ４６内にそのような部分を捕捉するように保持するよう構成される。ソケット３４の下部部分４４は、筐体１２の開口部５２内にソケット３４を除去可能に装着するための半径方向に延在するタブ５０を含む。たとえば、筐体１２における開口部５２は、第１の位置に存在する場合、タブ５０が開口部５２の中に挿入されることを可能にし得るが、タブ５０が第２の位置へと回転した後にタブ５０が除去されることを防止し得る。筐体１２の開口部５２内でのソケット３４の封止された設置を可能にするよう、環状の封止部材５４がソケット３４のタブ５０と筐体１２との間に位置決めされ得る。
【００１４】
光源ホルダー３６は、光源１６を担持し、反射器１４内に光源１６を位置決めするよう支持する。光源ホルダー３６は、近位端５８からその遠位端６０に延在する中心通路５６を有する概して細長い本体を有する。光源１６は、光源の第１の端部がホルダーの中心通路５６内に配置されるとともに光源１６の反対の第２の端部がホルダー３６の遠位端６０から離れるように中心通路５６から延在するように、光源ホルダー３６によって担持される。この位置において、光源の第１の端部は基部２０の端子２２に電気的に相互接続され、光源の第２の端部は反射器１４の内部３０に光を提供するよう位置決めされる。
【００１５】
組み付けられる際、光源ホルダー３６の遠位端６０は、光源１６が反射器１４の内部３０内において所定の軸方向および半径方向位置に位置決めされるように、反射器１２の貫通路２８の中に入るようにされる。光源ホルダー３６および反射器１４は、たとえばばねまたは他の力で突出する機構のような付勢部材６２によって係合状態にされ、当該付勢部材６２は、ソケット３４の上方部分３８と光源ホルダー３６の張出部分６４との間に位置する。付勢部材６２は軸方向に張出部分６４に対して正の力を加え、これにより、光源ホルダー３６がソケット３４から離れて反射器１４の方に向かう。光源ホルダー３６および反射器１４に相補的な表面を提供することにより、反射器１４内の光源１６の特定の位置が達成される。図１に示される実施形態において、光源ホルダー３６の遠位端６０は、反射器１４において貫通路２８のテーパ内面６８に相補的であるテーパ外面６６を有する。このように光源ホルダー３６および反射器１４を構成することによって、光源ホルダー３６および反射器は、軸方向に適用される付勢力により、自然にともにテーパ嵌合する。
【００１６】
光源ホルダー３６の近位端５８は、ソケット３４に光源ホルダー３６を結合し、ソケット３４のアパーチャ４８内に光源ホルダー３６を捕捉されるように保持する。特に、ホルダー３６の近位端５８は半径方向に延在する肩部７０を含んでおり、肩部７０は、ホルダー３６の近位端５８がアパーチャ４８の開口部を通ってソケット３６へ挿入されることによりホルダー３６の移動の軸方向の範囲を制限する際にソケット３４の裏面４２に対して着座する。しかしながら、光源ホルダー３６は、ソケット３４の中心軸と反射器１４の光軸との間の制限された量の半径方向の位置合わせ不良を補償するよう、ソケット３４に対して複数の半径方向において移動し得る。ホルダー３６の半径方向の移動によって、ホルダー３６の肩部７０はソケット３４の裏面４２に沿って摺動する。光源ホルダー３６の肩部７０とソケット３４の裏面４２との間にワッシャ７２または他の同様のデバイスが位置決めされ得、これにより、ソケット３４のアパーチャ４８内でのホルダー３６の半径方向の移動の増加を可能にする。
【００１７】
上記は本発明の１つ以上の好ましい例示的な実施形態の記載であるということが理解されるべきである。本発明は、本願明細書において開示された特定の実施形態に限定されるわけではなく、添付の請求の範囲によってのみ規定される。更に、上記の記載に含まれる文言は、特定の実施形態に関するものであり、用語またはフレーズが明らかに上で規定される場合を除き、本発明の範囲に対する限定または請求の範囲において使用される用語の定義に対する限定として解釈されるべきではない。さまざまな他の実施形態および開示された実施形態へのさまざまな変更および修正は、当業者には明らかであろう。すべてのそのような他の実施形態、変更および修正は、添付の請求の範囲の範囲内に該当するように意図される。
【００１８】
この明細書および請求の範囲において使用されるように、「たとえば」、「例として」、「ように」、および「ような」といった用語、ならびに、「備える」、「有する」、「含む」といった動詞および１つ以上の構成要素または他の項目のリストに関連して使用される際のそれらの他の動詞形は各々、オープンエンドであると解釈されるべきであり、これは、当該リストは他の付加的な構成要素または項目を除外するように考えられるべきではないことを意味する。他の用語は、異なる解釈を必要とする文脈において使用されなければ、それらの最も広い妥当な意味を使用して解釈されるべきである。
【図１】
2016512385.tif 000003
【図２】
2016512385.tif 000004
【図３】
2016512385.tif 000005
【図４】
2016512385.tif 000006
【国際調査報告】
2016512385.tif 000007
2016512385.tif 000008